(57)【要約】【課題】２つのポイントを同時に入力操作することが可能で、使い勝手の向上を図る。【解決手段】本実施形態のリモコンは、制御対象機器を操作するものであって、本体の表面側に設けられた表面側タッチパネルと、本体の裏面側に設けられた裏面側タッチパネルと、を備える。リモコンは、表面側タッチパネルと裏面側タッチパネルの双方から同時に入力操作が可能な構成である。【選択図】図１
2014204150.tif 000002
【特許請求の範囲】
【請求項１】
制御対象機器を操作するリモコンであって、
本体の表面側に設けられた表面側タッチパネルと、前記本体の裏面側に設けられた裏面側タッチパネルと、を備え、前記表面側タッチパネルと前記裏面側タッチパネルの双方から同時に入力操作が可能な構成であることを特徴とするリモコン。
【請求項２】
前記裏面側タッチパネルの画面認識としては前記表面側タッチパネルに対して左右反転した位置関係であり、前記本体の表面側から見て前記表面側タッチパネルとほぼ同一の位置関係であることを特徴とする請求項１記載のリモコン。
【請求項３】
前記表面側タッチパネルおよび前記裏面側タッチパネルはともに光透過可能であり、前記本体の表面側から裏面の位置を視認可能であるとともに、裏面側から表面の位置を視認可能であることを特徴とする請求項１または２記載のリモコン。
【請求項４】
前記本体にメカ式の操作ボタンを２個備えたことを特徴とする請求項１から３のいずれか一項記載のリモコン。
【発明の詳細な説明】
【技術分野】
【０００１】
本発明の実施形態はリモコンに関する。
【背景技術】
【０００２】
制御対象機器を操作するリモコンにおいては、本体の表面側にタッチパネルを備え、そのタッチパネルにて入力された情報を制御対象機器に送信してこれを制御する構成としたものが提案されている。しかしながら、通常タッチパネルにて入力操作する場合、２つのポイントを同時に入力操作することはできないものであった。
【先行技術文献】
【特許文献】
【０００３】
【特許文献１】特開２０１１−１８５４７１号公報
【発明の概要】
【発明が解決しようとする課題】
【０００４】
そこで、２つのポイントを同時に入力操作することが可能で、使い勝手の向上を図ることができるリモコンを提供することを目的とする。
【課題を解決するための手段】
【０００５】
本実施形態のリモコンは、制御対象機器を操作するものであって、本体の表面側に設けられた表面側タッチパネルと、本体の裏面側に設けられた裏面側タッチパネルと、を備える。リモコンは、表面側タッチパネルと裏面側タッチパネルの双方から同時に入力操作が可能な構成である。
【図面の簡単な説明】
【０００６】
【図１】第１実施形態によるリモコンと制御対象機器を示す外観斜視図
【図２】リモコンの概略的な機能ブロック図
【図３】（ａ）は表側から見た表面側タッチパネルの表示例を示す図、（ｂ）は裏側から見た裏面側タッチパネルの表示例を示す図
【図４】第２実施形態を示す図１相当図
【図５】第３実施形態を示すもので、（ａ）はリモコンを制御対象機器に収納した状態を示す正面図、（ｂ）はリモコンを使用位置に引き出した状態を示す正面図
【図６】第４実施形態によるリモコンの概略的斜視図
【発明を実施するための形態】
【０００７】
以下、複数の実施形態によるリモコンを図面に基づいて説明する。なお、各実施形態において実質的に同一の構成部位には同一の符号を付し、説明を省略する。
（第１実施形態）
第１実施形態について図１から図３を参照して説明する。まず図１において、制御対象機器１はこの場合平面ディスプレイであり、前面に表示画面２を備えている。この制御対象機器１は、図示はしないが、通信部と、前記表示画面２の表示を制御する制御部も備えている。
【０００８】
制御対象機器１を操作するリモコン３は、この場合ワイヤー４を介して制御対象機器１に接続されていて、制御対象機器１から離れた位置で操作することができる。制御対象機器１とリモコン３は、遠隔操作システムを構成する。リモコン３の本体５は、この場合矩形の平板状をなしていて、人の片方の手Ｈの手のひらに載せた状態で、親指Ｆ１と他の４本の指との間で挟み持つことができる程度の大きさに設定されている。このリモコン３には、本体５の表面側に表面側タッチパネル６が設けられ、本体５の裏面側に裏面側タッチパネル７（図２参照）が設けられている。表面側タッチパネル６と裏面側タッチパネル７は、それぞれ表示装置と入力装置を備えている。表面側タッチパネル６および裏面側タッチパネル７はともに光透過可能な構成で、本体５の表面側から裏面が視認できるとともに、裏面側から表面が視認できるようになっている。
【０００９】
リモコン３は、さらに、図２に示すように、表面側タッチパネル６に対応する表面側入力検出部８と、裏面側タッチパネル７に対応する裏面側入力検出部９と、制御部１０と、通信部１１を備えている。表面側入力検出部８は、表面側タッチパネル６に対するタッチ位置に対応する座標位置を検出する。裏面側入力検出部９は、裏面側タッチパネル７に対するタッチ位置に対応する座標位置を検出する。制御部１０は、表面側入力検出部８および裏面側入力検出部９からの信号を受け、その信号に基づく信号を、通信部１１およびワイヤー４を介して制御対象機器１に送信するとともに、表面側タッチパネル６および裏面側タッチパネル７の表示を制御する機能を備えている。制御部１０は、制御対象機器１との間で信号の授受が可能である。
【００１０】
表面側タッチパネル６および裏面側タッチパネル７には、制御対象機器１の表示画面２に表示される表示内容の縮小版に相当する画面が表示される。したがってこの場合、制御対象機器１を親機、リモコン３を子機ということもできる。表面側タッチパネル６に、例えば図３（ａ）に示すような表示１３ａ、この場合「ＡＢＣ」の表示がなされる場合、裏面側タッチパネル７には、図３（ｂ）に示すように、「ＡＢＣ」を左右反転させた表示１３ｂがなされる。したがって、裏面側タッチパネル７の画面認識としては表面側タッチパネル６に対して左右反転した位置関係であり、本体５の表面側から見て表面側タッチパネル６とほぼ同一の位置関係である。
【００１１】
制御対象機器１の表示画面２には、図１に示すように、表面側タッチパネル６に対応する第１ポインターＰ１と、裏面側タッチパネル７に対応する第２ポインターＰ２が表示される。この場合、第１ポインターＰ１と第２ポインターＰ２とではデザイン、この場合矢印の形状と色が異なっていて、区別できるようになっている。
【００１２】
上記構成において、リモコン３を用いて制御対象機器１を操作する場合、図１に示すように、操作する人はリモコン３を片方の手Ｈで持つ。このとき、リモコン３の表面側を上向きにした状態でリモコン３を手のひらの上に載せた状態とする。そして、表面側タッチパネル６に対しては親指Ｆ１で入力操作し、裏面側タッチパネル７に対しては人差し指Ｆ２で入力操作する。したがって、本実施形態のリモコン３は、制御対象機器１から離れた場所で、片方の手Ｈで表面側タッチパネル６と裏面側タッチパネル７の双方から同時に入力操作が可能であり、例えば２つのポイントを同時に入力することも可能となる。これにより、リモコン３の使い勝手を一層向上させることができる。
【００１３】
裏面側タッチパネル７の画面認識としては表面側タッチパネル６に対して左右反転した位置関係であり、本体５の表面側から見て表面側タッチパネル６とほぼ同一の位置関係である。この構成によれば、表面側タッチパネル６の表示を基準にして、裏面側タッチパネル６の入力位置も直感的にわかりやすく、裏面側からも入力操作しやすい。
【００１４】
表面側タッチパネル６および裏面側タッチパネル７はともに光透過可能な構成で、本体５の表面側から裏面が視認できるとともに、裏面側から表面が視認できるようになっている。このため、表面側から裏面側タッチパネル７の表示および人指し指Ｆ２を視認することができ、裏側からの入力操作を一層容易に行うことができる。
【００１５】
制御対象機器１の表示画面２には、表面側タッチパネル６に対応する第１ポインターＰ１と、裏面側タッチパネル７に対応する第２ポインターＰ２が表示され、これら第１ポインターＰ１と第２ポインターＰ２とではデザインが異なっている。このため、表示画面２で第１ポインターＰ１と第２ポインターＰ２を区別できるので、表面側タッチパネル６および裏面側タッチパネル７に対する入力操作を、制御対象機器１の表示画面２を見ながらでも行うことができる。第１ポインターＰ１と第２ポインターＰ２は、色は同じでも形状を異ならせたり、逆に形状は同じでも色を異ならせたりすることで、区別できればよい。
【００１６】
（第２実施形態）
第２実施形態について図４を参照して説明する。この第２実施形態においては、制御対象機器１とリモコン３との間はワイヤーでは接続されておらず、それら制御対象機器１とリモコン３との間の通信はワイヤレスで行われる構成となっている。
【００１７】
（第３実施形態）
第３実施形態について図５を参照して説明する。この第３実施形態においては、制御対象機器１５は、第１実施形態の制御対象機器１よりも小型の平面ディスプレイとなっている。リモコン３は、制御対象機器１５にヒンジのような連結部１６で連結されている。リモコン３を使用しない場合には、リモコン３は、図５（ａ）に示すように制御対象機器１５の図示しない収納部に収納しておく。そして、リモコン３を使用する場合には、図５（ｂ）に示すようにリモコン３を収納部から使用位置に引き出して使用する。この実施形態においては、リモコン３を使用しない場合に収納部に収納しておくことで、リモコン３が邪魔にならないようにできる利点がある。
【００１８】
（第４実施形態）
第４実施形態について図６を参照して説明する。リモコン１７における本体１８の表面側において、表面側タッチパネル６の領域外の縁部に、メカ式の操作ボタン１９，２０を左右に２個設けた構成となっている。この場合、ポインターの移動は表面側タッチパネル６または裏面側タッチパネル７に対するタッチ操作で行い、決定操作などは操作ボタン１９，２０で行う構成とすることで、パーソナルコンピュータのタッチパッドやマウスのような使い方ができる。
【００１９】
（その他の実施形態）
制御対象機器としては、平面ディスプレイに限られず、空気調和機の室内機やＤＶＤレコーダーなどでもよい。
【００２０】
以上のように本実施形態のリモコンによると、表面側タッチパネルと裏面側タッチパネルの双方から同時に入力操作が可能であるから、２つのポイントを同時に入力操作することが可能であり、使い勝手の向上を図ることができる。
【００２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２２】
図面中、１は制御対象機器、３はリモコン、４はワイヤー、５は本体、６は表面側タッチパネル、７は裏面側タッチパネル、１０は制御部、１１は通信部、１３ａ，１３ｂは表示、１５は制御対象機器、１６は連結部、１７はリモコン、１８は本体、１９，２０は操作ボタンを示す。
【図１】
2014204150.tif 000003
【図２】
2014204150.tif 000004
【図３】
2014204150.tif 000005
【図４】
2014204150.tif 000006
【図５】
2014204150.tif 000007
【図６】
2014204150.tif 000008